(57)【要約】【課題】映像の解析情報を表示することにより視聴者が関心の高い区間を容易に判断可能で、解析情報に基づいて視聴者が区間の再生を制御できる映像再生装置および映像再生方法を提供する。【解決手段】解析情報３０００は、映像より得られる情報を時間的に連続な数値として表示可能な特徴量情報３００と、ある時間の特徴量情報を参照してその時間を再生指定位置として映像を選択可能な特徴量選択カーソル３００Ａと、特定の事象を含むイベント３０１ａを複数含むイベント情報３０１と、イベント情報３０１よりイベント３０１ａを選択可能なイベント選択カーソル３０１Ａと、特徴量情報３００とイベント情報３０１と対応して再生経過時間を表示する時間情報３０２と、時間情報３０２に対応した現在の再生位置を示す再生位置３０３とを有し、表示画面３１上に表示される。【選択図】図５
2007300280.tif 000002
【特許請求の範囲】
【請求項１】
映像を録画および再生する録画再生制御部と、
前記映像を表示する表示部と、
予め定めた特定事象に対応する事象をイベント情報として前記映像から抽出するとともに、時間に対して連続的に変化する特徴量情報を検出するメタデータ解析部と、
前記イベント情報と前記特徴量情報とを時間軸に沿って前記表示部に表示するメタデータ表示部とを有することを特徴とする映像再生装置。
【請求項２】
映像を録画および再生する録画再生制御部と、
前記映像を表示する表示部と、
予め定めた特定事象に対応する事象をイベント情報として前記映像から抽出するとともに、時間に対して連続的に変化する特徴量情報を検出するメタデータ解析部と、
前記イベント情報と前記特徴量情報とを時間軸に沿って前記表示部に表示するメタデータ表示部とを有し、
前記録画再生制御部は、前記イベント情報のイベントを選択することにより、前記イベントの再生経過時間より前記映像を再生することを特徴とする映像再生装置。
【請求項３】
映像を録画および再生する録画再生制御部と、
前記映像を表示する表示部と、
予め定めた特定事象に対応する事象をイベント情報として前記映像から抽出するとともに、時間に対して連続的に変化する特徴量情報を検出するメタデータ解析部と、
前記イベント情報と前記特徴量情報とを時間軸に沿って前記表示部に表示するメタデータ表示部とを有し、
前記録画再生制御部は、前記映像を再生する際、前記イベント情報のイベント間をスキップまたは早送りして再生することを特徴とする映像再生装置。
【請求項４】
映像を録画および再生する録画再生制御部と、
前記映像を表示する表示部と、
予め定めた特定事象に対応する事象をイベント情報として前記映像から抽出するとともに、時間に対して連続的に変化する特徴量情報を検出するメタデータ解析部と、
前記イベント情報と前記特徴量情報とを時間軸に沿って前記表示部に表示するメタデータ表示部とを有し、
前記録画再生制御部は、前記特徴量情報の再生経過時間を指定することにより、前記再生経過時間を再生開始時間として前記映像を再生することを特徴とする映像再生装置。
【請求項５】
前記メタデータ表示部は、前記イベント情報と前記特徴量情報とを映像再生経過時間を示す時間軸と対応づけて表示することを特徴とする請求項１から４のいずれかに記載の映像再生装置。
【請求項６】
前記メタデータ表示部は、前記イベント情報および前記特徴量情報の詳細情報を表示できることを特徴とする請求項１から４のいずれかに記載の映像再生装置。
【請求項７】
予め定めた特定事象に対応する事象をイベント情報として映像から抽出するとともに、時間に対して連続的に変化する特徴量情報を検出するメタデータ解析ステップと、
前記イベント情報と前記特徴量情報とを時間軸に沿って表示部に表示するメタデータ表示ステップと、
前記イベント情報のイベントを選択することにより、前記イベントの開始時間より前記映像を再生する再生ステップとを有することを特徴とする映像再生方法。
【請求項８】
予め定めた特定事象に対応する事象をイベント情報として映像から抽出するとともに、時間に対して連続的に変化する特徴量情報を検出するメタデータ解析ステップと、
前記イベント情報と前記特徴量情報とを時間軸に沿って表示部に表示するメタデータ表示ステップと、
前記イベント情報の前記イベント間をスキップまたは早送りして再生する再生ステップとを有することを特徴とする映像再生方法。
【請求項９】
予め定めた特定事象に対応する事象をイベント情報として映像から抽出するとともに、時間に対して連続的に変化する特徴量情報を検出するメタデータ解析ステップと、
前記イベント情報と前記特徴量情報とを時間軸に沿って表示部に表示するメタデータ表示ステップと、
前記特徴量情報の再生経過時間を指定することにより、前記再生経過時間を再生開始時間として前記映像を再生する再生ステップとを有することを特徴とする映像再生方法。
【発明の詳細な説明】
【技術分野】
【０００１】
本発明は、映像再生装置および映像再生方法に関し、特に再生する映像の重要度を時間情報に沿った複数のパラメータで表示して視聴者が映像の再生位置および再生方法を選択可能な映像再生装置および映像再生方法に関する。
【背景技術】
【０００２】
従来の技術として、ＴＶ番組の重要部分を自動的に選択してダイジェスト版で再生可能な映像再生装置が知られている（例えば、特許文献１）。
【０００３】
この映像再生装置によると、番組を本編やＣＭ（Ｃｏｍｍｅｒｃｉａｌ  Ｍｅｓｓａｇｅ）等のコーナー別に分割する番組コーナー判定手段と、各コーナーの重要度を自動的に判定するコーナー重要度判定手段と、それぞれのコーナーをある条件に基づいて並べ替えて再生する再生制御手段と、コーナーの重要度、およびコーナー再生の順序を表示する情報表示手段とを有しており、予め特定事象を定め、この特定事象に相当する事象が発生したとき、この事象を重要度の高い事象と判断して表示画面に表示していた。
【特許文献１】特開２００５−３２８３２９号公報
【発明の開示】
【発明が解決しようとする課題】
【０００４】
しかし、従来の映像再生装置によると、予め定めた特定事象に相当する事象を表示画面に表示していたため、視聴者の関心度の高い事象と一致しないことがあって、視聴者の関心度の高い事象の抽出ができないこともあった。加えて、視聴者が自らの選択に応じて関心度の高い事象を抽出することができなかった。
【０００５】
従って、本発明の目的は、映像の解析情報を表示することにより視聴者が関心の高い区間を容易に判断可能で、解析情報に基づいて視聴者が区間の再生を制御できる映像再生装置および映像再生方法を提供することにある。
【課題を解決するための手段】
【０００６】
（１）本発明は上記目的を達成するため、映像を録画および再生する録画再生制御部と、前記映像を表示する表示部と、予め定めた特定事象に対応する事象をイベント情報として前記映像から抽出するとともに、時間に対して連続的に変化する特徴量情報を検出するメタデータ解析部と、前記イベント情報と前記特徴量情報とを時間軸に沿って前記表示部に表示するメタデータ表示部とを有することを特徴とする映像再生装置を提供する。
【０００７】
このような構成によれば、イベント情報と特徴量情報が可視的に表示されるため、視聴者にとって関心度の高い区間を容易に判断可能となる。
【０００８】
（２）また、本発明は上記目的を達成するため、映像を録画および再生する録画再生制御部と、前記映像を表示する表示部と、予め定めた特定事象に対応する事象をイベント情報として前記映像から抽出するとともに、時間に対して連続的に変化する特徴量情報を検出するメタデータ解析部と、前記イベント情報と前記特徴量情報とを時間軸に沿って前記表示部に表示するメタデータ表示部とを有し、前記録画再生制御部は、前記イベント情報のイベントを選択することにより、前記イベントの再生経過時間より前記映像を再生することを特徴とする映像再生装置を提供する。
【０００９】
このような構成によれば、イベント情報と特徴量情報が可視的に表示されるため、これらを参考にイベントを選択することにより視聴者の関心度の高い再生経過時間より映像を再生することができる。
【００１０】
（３）また、本発明は上記目的を達成するため、映像を録画および再生する録画再生制御部と、前記映像を表示する表示部と、予め定めた特定事象に対応する事象をイベント情報として前記映像から抽出するとともに、時間に対して連続的に変化する特徴量情報を検出するメタデータ解析部と、前記イベント情報と前記特徴量情報とを時間軸に沿って前記表示部に表示するメタデータ表示部とを有し、前記録画再生制御部は、前記映像を再生する際、前記イベント情報のイベント間をスキップまたは早送りして再生することを特徴とする映像再生装置を提供する。
【００１１】
このような構成によれば、イベント情報と特徴量情報を可視的に確認しつつ、これらを参考に視聴者の関心度の高いと思われるイベント部分のみの映像を再生することができる。
【００１２】
（４）また、本発明は上記目的を達成するため、映像を録画および再生する録画再生制御部と、前記映像を表示する表示部と、予め定めた特定事象に対応する事象をイベント情報として前記映像から抽出するとともに、時間に対して連続的に変化する特徴量情報を検出するメタデータ解析部と、前記イベント情報と前記特徴量情報とを時間軸に沿って前記表示部に表示するメタデータ表示部とを有し、前記録画再生制御部は、前記特徴量情報の再生経過時間を指定することにより、前記再生経過時間を再生開始時間として前記映像を再生することを特徴とする映像再生装置を提供する。
【００１３】
このような構成によれば、イベント情報と特徴量情報が可視的に表示されるため、これらを参考に特徴量情報を選択することにより視聴者の関心度の高い再生経過時間より映像を再生することができる。
【００１４】
（５）また、本発明は上記目的を達成するため、予め定めた特定事象に対応する事象をイベント情報として映像から抽出するとともに、時間に対して連続的に変化する特徴量情報を検出するメタデータ解析ステップと、前記イベント情報と前記特徴量情報とを時間軸に沿って表示部に表示するメタデータ表示ステップと、前記イベント情報のイベントを選択することにより、前記イベントの開始時間より前記映像を再生する再生ステップとを有することを特徴とする映像再生方法を提供する。
【００１５】
このような方法によれば、（２）の効果を有する映像再生方法が可能となる。
【００１６】
（６）また、本発明は上記目的を達成するため、予め定めた特定事象に対応する事象をイベント情報として映像から抽出するとともに、時間に対して連続的に変化する特徴量情報を検出するメタデータ解析ステップと、前記イベント情報と前記特徴量情報とを時間軸に沿って表示部に表示するメタデータ表示ステップと、前記イベント情報の前記イベント間をスキップまたは早送りして再生する再生ステップとを有することを特徴とする映像再生方法を提供する。
【００１７】
このような方法によれば、（３）の効果を有する映像再生方法が可能となる。
【００１８】
（７）また、本発明は上記目的を達成するため、予め定めた特定事象に対応する事象をイベント情報として映像から抽出するとともに、時間に対して連続的に変化する特徴量情報を検出するメタデータ解析ステップと、前記イベント情報と前記特徴量情報とを時間軸に沿って表示部に表示するメタデータ表示ステップと、前記特徴量情報の再生経過時間を指定することにより、前記再生経過時間を再生開始時間として前記映像を再生する再生ステップとを有することを特徴とする映像再生方法を提供する。
【００１９】
このような方法によれば、（４）の効果を有する映像再生方法が可能となる。
【発明の効果】
【００２０】
本発明によれば、視聴者が区間の重要性を容易に判定することが可能となる。
【発明を実施するための最良の形態】
【００２１】
以下に、本発明の映像再生装置の実施の形態を図面を参考にして詳細に説明する。
【００２２】
〔実施の形態〕
（映像再生装置の構成）
図１は、本発明の実施の形態に関する映像再生装置の概略図である。
【００２３】
映像再生装置１は、ＣＰＵ（Ｃｅｎｔｒａｌ Ｐｒｏｃｅｓｓｉｎｇ Ｕｎｉｔ）、ＨＤＤ（Ｈａｒｄ Ｄｉｓｃ Ｄｒｉｖｅ）等の電子部品より構成される本体機能部２と、本体機能部２より出力される画像や文字等を表示する表示画面３１を有する画像表示部３と、本体機能部２のインターフェース（Ｉ／Ｆ）部に作用して映像再生装置１を遠隔操作可能なリモコン４とを有する。
【００２４】
図２は、本発明の実施の形態に関する映像再生装置の概略構成を示すブロック図である。
【００２５】
本体機能部２は、デジタル映像を処理するシステムＬＳＩ（Ｌａｒｇｅ  Ｓｃａｌｅ  Ｉｎｔｅｇｒａｔｉｏｎ）１０と、デジタル映像信号を受信、復調する信号受信部２０とからなる。デジタル映像以外の受信機能としては、アナログチューナーからの出力信号を受信するためのＡ／Ｄ部４８、画面上に発生するゴーストを軽減するゴーストリダクション４７、および映像信号を輝度信号と色信号とに分離する３次元ＹＣ分離４６、また外部映像機器を接続するためのアナログ・デジタル変換を行うＡ／Ｄ部４９を有する。
【００２６】
システムＬＳＩ１０は、信号受信部２０からのデジタル信号やデジタル化されたアナログ信号を受信し、映像、音声、および番組情報に分離するＤＥＭＵＸ（Ｄｅ−ＭＵｌｔｉｐｌｅＸｅｒ）１１と、デジタル放送やＤＶＤ等に使用されている規格であるＭＰＥＧ−２をデコードするためのＭＰＥＧ−２デコーダ１２と、デコードされた画像信号を描画するためのグラフィックエンジン１３と、画像表示部３に出力信号を最適化するためのデジタルフォーマットコンバータ１４とを有する。
【００２７】
ＣＰＵ１５は、システムＬＳＩ１０上の各部に接続されており各部をそれぞれ制御する。また、ＣＰＵ１５より、映像や内部処理のためのプログラムを記憶するハードディスク４０と、ＣＰＵ１５の処理中のデータを一時的に保存するＳＲＡＭ４１と、図示しない外部記憶装置等のデータをコピーして保存するフラッシュメモリ４２と、イーサネット（登録商標）等を介して外部と通信するためのＬＡＮ処理ＬＳＩ４３と、図示しない外部記憶装置と接続するためのコントローラＬＳＩ４４と、リモコン４の操作命令受信や外部機器との接続、および本体機能部に備えられた図示しない操作スイッチに使用されるＩ／Ｆ部４５とが拡張して接続されている。
【００２８】
信号受信部２０は、図示しない外部アンテナに接続されて地上波デジタル放送を受信するデジタルチューナ２１と、デジタルチューナ２１からの出力を復調する復調部２３と、図示しない外部アンテナに接続されてＢＳおよびＣＳ放送を受信するデジタルチューナ２２と、デジタルチューナ２２からの出力を復調する復調部２４とを有する。
【００２９】
画像表示部３は、表示画面３１と、本体機能部２からの出力を受信して表示画面３１に最適化し、最終画質調整するためのバックエンドプロセッサ３０とを有する。
【００３０】
（本体ソフトウェアの構成）
図３は、本発明の実施の形態における本体ソフトウェアの構成を示す概略図である。
【００３１】
映像再生装置１を制御するための本体ソフトウェア５００Ａは、図２に示すハードディスク４０中に記憶され、図３のような構成を有する。本体ソフトウェア５００Ａの動作は図２に示すＣＰＵ１５により制御される。
【００３２】
本体ソフトウェア５００Ａは、放送局のパケットをフィルタリングする等のＴＳ（Ｔｒａｎｓｐｏｒｔ  Ｓｔｒｅａｍ）分離処理を行うＴＳＰ（Ｔｒａｎｓｐｏｒｔ  Ｓｔｒｅａｍ  Ｐｒｏｃｅｓｓｏｒ）部５０と、ＥＰＧ（Ｅｌｅｃｔｒｏｎｉｃ  Ｐｒｏｇｒａｍ  Ｇｕｉｄｅ）データを管理するＥＰＧ管理部５１と、外部より取得したＥＰＧデータを蓄積するＥＰＧデータ５２と、コンテンツの録画および録画済みコンテンツの再生を制御する録画再生制御部５３と、録画したコンテンツを蓄積する録画コンテンツ５４と、コンテンツデータが有する番組タイトルや番組情報等のメタデータ、およびコンテンツデータ中の映像を解析して数値化したデータを生成するメタデータ解析部５５と、コンテンツの映像を表示するための処理を行う映像表示部５６と、メタデータを表示するための処理を行うメタデータ表示部５７とを有する。
【００３３】
（リモコンの構成）
図４は、本発明の実施の形態に関するリモコンの構成を示す平面図である。
【００３４】
リモコン４は、テレビの電源やチャンネル操作等を行えるテレビ機能操作スイッチ群４００と、ビデオ表示とルーター表示の切り替えを行うルータービデオ切替スイッチ４０１と、画面表示モードを切替え可能な表示機能操作スイッチ４０２、表示されている特徴量情報の種別を切り替え可能な特徴量切替スイッチ４０３Ａと、表示されているイベントの種別を切り替え可能なイベント切替スイッチ４０３Ｂと、イベントもしくは特徴量情報の詳細情報を表示する詳細情報表示スイッチ４０３Ｃと、表示中の時間情報の時間スケールを伸縮させる時間スケール切替スイッチ群４０４と、映像の録画および再生を制御する記録再生操作スイッチ群４０５と、記録再生操作スイッチ群４０５に含まれ、表示中のイベント情報および特徴量情報をスキップして選択可能なイベントスキップスイッチ４０５Ａと、数値入力を行う数値入力スイッチ群４０６とを有する。
【００３５】
（表示画面の構成）
図５は、本発明の実施の形態に関する表示画面の構成を示す概略図である。
【００３６】
解析情報３０００は、映像より得られる情報を時間的に連続な数値として表示可能な特徴量情報３００と、ある時間の特徴量情報を参照してその時間を再生指定位置として映像を選択可能な特徴量選択カーソル３００Ａと、特定の事象を含むイベント３０１ａを複数含むイベント情報３０１と、イベント情報３０１よりイベント３０１ａを選択可能なイベント選択カーソル３０１Ａと、特徴量情報３００とイベント情報３０１と対応して再生経過時間を表示する時間情報３０２と、時間情報３０２に対応した現在の再生位置を示す再生位置３０３とを有し、表示画面３１上に表示される。
【００３７】
特徴量情報３００は、歓声らしさを映像より抽出して解析することにより得られて、表示される。また、歓声らしさだけでなく、映像の輝度や色相や音声レベルや拍手らしさや盛り上がり指数等から抽出してもよく、それらを切り替えて表示して番組視聴区間を選択する際の参考となるようにする。
【００３８】
イベント情報３０１は、カメラの切替やパンなどシーンが大きく変化したことを示すカット、類似したシーン、チャプター境界、ニュース番組におけるニューストピック、情報番組等の番組コーナー、音楽演奏のシーン、テロップの表示、特定の条件に合致した字幕データ、スポーツ中継における盛り上がりシーン、野球中継の打席、相撲番組の取り組み等を検出して表示される。イベント情報３０１中のイベント３０１ａは、これらの１種類を表示する構成、または複数の種類を表示する構成を選択可能である。複数の種類を表示する場合は、種類ごとにイベント３０１ａを色分けする等の判別方法を用いる。
【００３９】
図６（ａ）は、本発明の実施の形態に関するイベント詳細情報の構成を示す概略図である。図６（ｂ）は、本発明の実施の形態に関する特徴量詳細情報の構成を示す概略図である。
【００４０】
イベント詳細情報３０１Ｂは、イベント選択カーソル３０１Ａにてイベントを選択して、詳細情報を要求することで表示される。イベント詳細情報３０１Ｂは、イベント名と開始時間および時間長情報を有する。
【００４１】
特徴量詳細情報３００Ｂは、特徴量選択カーソル３００Ａにて時間を指定して、リモコン４の詳細情報表示スイッチ４０３Ｃを操作して詳細情報を要求することで表示される。また、コンテンツデータ全体を通しての特徴量の統計を示す詳細情報も同様に表示される。
【００４２】
（動作）
以下に、本発明の実施の形態における映像再生装置の動作を図１から図６を参照しつつ説明する。
【００４３】
録画再生制御部５３は、ＥＰＧ管理部５１より取得したＥＰＧデータ５２に基づき所望の番組のストリームをＴＳＰ部５０より取得して、コンテンツデータとして録画コンテンツ５４に保存する。保存したコンテンツデータおよび既に録画済みのコンテンツデータの映像は、まず映像表示部５６にて再生される。
【００４４】
視聴者が、特徴量切替スイッチ４０３Ａ、イベント情報切替スイッチ４０３Ｂのいずれかを操作することにより、コンテンツデータの映像はメタデータ解析部５５により解析されて、表示画面３１に解析情報３０００が表示される。
【００４５】
特徴量切替スイッチ４０３Ａを操作することにより、表示中の特徴量情報３００とは別の特徴量が順番に表示される。イベント切替スイッチ４０３Ｂを操作することにより、表示中のイベント情報３０１とは別のイベント情報が順番に表示される。時間スケール切替スイッチ群４０４を操作することにより、表示中の時間情報３０２の表示範囲が切り替えられる。
【００４６】
特徴量選択カーソル３００Ａおよびイベント選択カーソル３０１Ａは、イベントスキップスイッチ４０５Ａにて操作可能で、特徴量情報３００およびイベント情報３０１を選択した状態で、詳細情報表示スイッチ４０３Ｃを操作すると、図６に示すイベント詳細情報３０１Ｂおよび特徴量詳細情報３００Ｂが表示される。
【００４７】
再生位置３０３は、記録再生操作スイッチ群４０５によって再生制御された状態に追従して移動する。また、特徴量選択カーソル３００Ａおよびイベント選択カーソル３０１Ａによって選択された区間に再生位置３０３を追従させて再生することもできる。
【００４８】
再生方法を設定することにより、イベント３０１ａのみ再生して他の区間をスキップしたり、イベント３０１ａ以外の区間は早送りして再生するように設定可能である。また、ある一定以上の特徴量を有する区間のみを再生することも可能である。
【００４９】
（実施の形態の効果）
上記した実施の形態によると、映像より得られる特徴量情報３００およびイベント情報３０１の両方のメタデータを表示画面３１に表示して可視化したことにより、視聴者が重要と判断する区間の検索性が向上する。
【００５０】
また、解析情報３０００よりイベント３０１ａまたは再生位置３０３を選択することができるため、視聴者の意向に沿った再生位置を容易に決定することができる。また、イベント情報３０１に基づいて、イベント３０１ａの再生方法を選択できるため、視聴者の意向に添った再生方法が達成される。
【００５１】
なお、イベント３０１ａは、視聴者が入力できるようにしてもよい。
【００５２】
また、特徴量選択カーソル３００Ａは、盛り上がりの位置を選択できるよう、表示された特徴量情報３００のピーク時間にスナップして選択できるようにしてもよい。
【図面の簡単な説明】
【００５３】
【図１】本発明の実施の形態に関する映像再生装置の概略図である。
【図２】本発明の実施の形態に関する映像再生装置の概略構成を示すブロック図である。
【図３】本発明の実施の形態における本体ソフトウェアの構成を示す概略図である。
【図４】本発明の実施の形態に関するリモコンの構成を示す平面図である。
【図５】本発明の実施の形態に関する表示画面の構成を示す概略図である。
【図６】（ａ）は、本発明の実施の形態に関するイベント詳細情報の構成を示す概略図である。（ｂ）は、本発明の実施の形態に関する特徴量詳細情報の構成を示す概略図である。
【符号の説明】
【００５４】
１…映像再生装置、２…本体機能部、３…画像表示部、４…リモコン、１０…システムＬＳＩ、１１…ＤＥＭＵＸ、１２…ＭＰＥＧ−２デコーダ、１３…グラフィックエンジン、１４…デジタルフォーマットコンバータ、１５…ＣＰＵ、２０…信号受信部、２１…デジタルチューナ、２２…デジタルチューナ、２３…復調部、２４…復調部、３０…バックエンドプロセッサ、３１…表示画面、４０…ハードディスク、４１…ＳＲＡＭ、４２…フラッシュメモリ、４３…ＬＡＮ処理ＬＳＩ、４４…コントローラＬＳＩ、４５…Ｉ／Ｆ部、４６…３次元ＹＣ分離、４７…ゴーストリダクション、４８…Ａ／Ｄ部、４９…Ａ／Ｄ部、５０…ＴＳＰ部、５１…ＥＰＧ管理部、５２…ＥＰＧデータ、５３…録画再生制御部、５４…録画コンテンツ、５５…メタデータ解析部、５６…映像表示部、５７…メタデータ表示部、３００…特徴量情報、３００Ａ…特徴量選択カーソル、３００Ｂ…特徴量詳細情報、３０１…イベント情報、３０１Ａ…イベント選択カーソル、３０１Ｂ…イベント詳細情報、３０２…時間情報、３０３…再生位置、４００…テレビ機能操作スイッチ群、４０１…ルータービデオ切替スイッチ、４０２…表示機能操作スイッチ、４０３Ａ…特徴量切替スイッチ、４０３Ｂ…イベント切替スイッチ、４０３Ｃ…詳細情報表示スイッチ、４０４…時間スケール切替スイッチ群、４０５…記録再生操作スイッチ群、４０５Ａ…イベントスキップスイッチ、４０６…数値入力スイッチ群、５００Ａ…本体ソフトウェア、３０００…解析情報
【図１】
2007300280.tif 000003
【図２】
2007300280.tif 000004
【図３】
2007300280.tif 000005
【図４】
2007300280.tif 000006
【図５】
2007300280.tif 000007
【図６】
2007300280.tif 000008